(57)【特許請求の範囲】
【請求項１】
取付対象物に固定される外枠は細長い前板及びその前板との間に間隔を隔てて該前板に結合された後板を備えていること；両側板及び背板によって横断面コ字状に形成された内枠は外枠内で外枠の長さ方向に移動可能に装着してあり、内枠の両側板は対向する位置で対をなすようにしたタンブラー用の係合穴を間隔を隔てて２対形成したこと；鍵孔を有するキーガイドを外枠の前板の中央部にその前板を貫通するようにして回動可能に装着すること；本体が細長い板状体をなし、先端部の両側にそれぞれ係止片を有すると共に、中央部に平板状をなす鍵のシャンクが遊嵌できる差込み穴を有する複数枚のタンブラーの基端を、それらのタンブラー相互が平行をなし、かつ板厚方向に重なり合うようにして、外枠の前板と垂直をなす枢軸をもって揺動可能に枢支させたこと；各タンブラーの両側で対をなす係止片の先端間の幅は前記内枠における両側板間の内面間寸法に等しくしてあること；タンブラーの先端側は内枠内に配され、それぞれの一方の係止片が内枠の近い方の側板に向かうようにタンブラーばねで付勢させてあること；各タンブラーは鍵を差し込んでいない状態において一方の係止片を内枠の係合穴の１つに係合させてあること；タンブラーの差込み穴は鍵の差込み及び所定方向への鍵の１８０度の回動を許容する大きさを有すると共に、該差込み穴の一部の端縁は鍵の鍵溝の谷部が当接する当接縁部を形成していること；外枠の後板には、キーガイドに差し込まれた鍵の先端部が係合できるように回動可能なクラッチ手段が設けてあること；そのクラッチ手段には、同心的かつ一体的にピニオンを設けること；前記ピニオンは内枠の背板に該内枠の移動方向に沿って設けたラックに噛合させてあること；全タンブラーは差し込まれた鍵の最初の９０度の回動でタンブラーばねに抗してそれぞれ一対の係止片の先端が内枠に対し非係合状態となるように作動されること；その間鍵の先端はクラッチ手段において遊動すること；鍵の更なる９０度の回動において、鍵はクラッチ手段と結合してピニオン及びラックを介してタンブラーとの係合が解かれた状態の内枠を移動させること；及び、鍵の鍵溝の底部は、その横断面において外に凸で鍵の回転中心軸を中心とする円弧とし、その円弧の半径を、鍵を鍵孔に差込み、解錠方向に９０度回したとき、鍵溝の底部が対応するタンブラーの差込み穴の当接縁部を押動して、タンブラーの一対の係止片の先端を内枠の側板の内面に整合させ、内枠が外枠に対して移動可能になるように設定したことを特徴とするスライド錠。
【発明の詳細な説明】
【０００１】
【発明の属する技術分野】
この発明は、従来の一般的なシリンダー錠よりも鍵の差込み方向の寸法を小さくできるようにした新規な錠に関する。
【０００２】
【従来の技術】
例えば、レバーシリンダー錠やディスクシリンダー錠のような複数のタンブラーを備えたシリンダー錠に対して用いられる細長い板状の鍵（合鍵）においては、鍵の抜き差しに際しタンブラーの当接縁部又は先端部が衝突しないようにするために、溝の前後には傾斜案内部を必要としている。
【０００３】
鍵における傾斜案内部の必要性のため、シリンダー錠側においては、隣り合う２つのタンブラー間の距離を大きく取らなければならないことになり、従って、該シリンダー錠の鍵の差込み方向の寸法（錠の軸線方向の厚さ）を大きく取らなければならない。
【０００４】
その為、鍵の取付対象物がかばん類であったり、シャッター（よろい戸）であったりすると、その取付部分がごく薄いので、不都合を生ずることがある。そのような場合、タンブラー数を減らすことも必要となり、このことは鍵違いの減少にも通じ、好ましくない。
【０００５】
【発明が解決しようとする課題】
この発明に係るスライド錠は、従来のシリンダー錠よりも鍵の差込み方向の寸法を小さく製作できるようにするために開発されたものである。更に具体的には、タンブラー数を減少させることなく、従来のシリンダー錠よりも鍵の差込み方向の寸法を小さく製作することを可能にしたものである。
【０００６】
【課題を解決するための手段】
上記の目的を達成するため、この発明に係るスライド錠は、取付対象物に固定される外枠は細長い前板及びその前板との間に間隔を隔てて該前板に結合された後板を備えていること；両側板及び背板によって横断面コ字状に形成された内枠は外枠内で外枠の長さ方向に移動可能に装着してあり、内枠の両側板は対向する位置で対をなすようにしたタンブラー用の係合穴を間隔を隔てて２対形成したこと；鍵孔を有するキーガイドを外枠の前板の中央部にその前板を貫通するようにして回動可能に装着すること；本体が細長い板状体をなし、先端部の両側にそれぞれ係止片を有すると共に、中央部に平板状をなす鍵のシャンクが遊嵌できる差込み穴を有する複数枚のタンブラーの基端を、それらのタンブラー相互が平行をなし、かつ板厚方向に重なり合うようにして、外枠の前板と垂直をなす枢軸をもって揺動可能に枢支させたこと；各タンブラーの両側で対をなす係止片の先端間の幅は前記内枠における両側板間の内面間寸法に等しくしてあること；タンブラーの先端側は内枠内に配され、それぞれの一方の係止片が内枠の近い方の側板に向かうようにタンブラーばねで付勢させてあること；各タンブラーは鍵を差し込んでいない状態において一方の係止片を内枠の係合穴の１つに係合させてあること；タンブラーの差込み穴は鍵の差込み及び所定方向への鍵の１８０度の回動を許容する大きさを有すると共に、該差込み穴の一部の端縁は鍵の鍵溝の谷部が当接する当接縁部を形成していること；外枠の後板には、キーガイドに差し込まれた鍵の先端部が係合できるように回動可能なクラッチ手段が設けてあること；そのクラッチ手段には、同心的かつ一体的にピニオンを設けること；前記ピニオンは内枠の背板に該内枠の移動方向に沿って設けたラックに噛合させてあること；全タンブラーは差し込まれた鍵の最初の９０度の回動でタンブラーばねに抗してそれぞれ一対の係止片の先端が内枠に対し非係合状態となるように作動されること；その間鍵の先端はクラッチ手段において遊動すること；鍵の更なる９０度の回動において、鍵はクラッチ手段と結合してピニオン及びラックを介してタンブラーとの係合が解かれた状態の内枠を移動させること；及び、鍵の鍵溝の底部は、その横断面において外に凸で鍵の回転中心軸を中心とする円弧とし、その円弧の半径を、鍵を鍵孔に差込み、解錠方向に９０度回したとき、鍵溝の底部が対応するタンブラーの差込み穴の当接縁部を押動して、タンブラーの一対の係止片の先端を内枠の側板の内面に整合させ、内枠が外枠に対して移動可能になるように設定したことを特徴とする。
【０００７】
【発明の実施の形態】
以下、図面に示す実施例に基いて、この発明に係るスライド錠について説明する。
図１〜図１１において、符号１０はかばん類やシャッター（よろい戸）等のこの発明に係るスライド錠の取付対象物、１は取付対象物１０に鋲又は取付ねじ等９１で固定される外枠、２は外枠１内に少なくも一部が嵌まり合うようにして、外枠１の長さ方向に沿って移動可能に装着された内枠である。
【０００８】
外枠１は細長い前板１１及びその前板１１との間に間隔を隔てて該前板１１に両側の脚板１２又は図示しない支柱等で結合された後板１３を有している。
【０００９】
図示例の外枠１は、前板１の両側面（側端縁）に全長に亘って設けた嵌め溝１４に、横断面コ字状をなす後枠１２、１２、１３における両脚板１２、１２の折り曲げ部１２ａを嵌め合せ、両脚板１２、１２から内方に向け切り起した取付片１２ｂと前板１１との間を止ねじ９２で固定して構成してある。
【００１０】
内枠２は両側板２１、２１及び背板２２によって横断面がコ字状をなすように形成してあり、任意の案内手段により外枠１の長さ方向に移動可能（往復動可能）にしてある。
【００１１】
図示例の案内手段は、両側板２１の前端縁を内方に折り曲げて成る折曲片２１ａを上記した前板１１の共通の嵌め溝１４に摺動可能に嵌め合わせることにより構成してある。言うまでもないが、外枠１に対する内枠２の案内手段は図示例のものに限らない。
【００１２】
そして、内枠２の両側板２１、２１には、対向する位置で対をなすようにしたタンブラー用の係合穴２３、２３が内枠２の移動方向に後に述べるように設定された間隔を隔てて２対形成してある。各係合穴２３は例えば矩形に形成される。
【００１３】
前述の固定の外枠１における前板１１の中央部には、図５に示すように、該前板１１に対する垂直な軸線の回りに回動可能なキーガイド３が該前板１１を貫通するようにして装着してある。
【００１４】
このキーガイド３は例えば段付きの円板状をなし（図５参照）、正面からみてその中央部には鍵孔３１が穿設されている。図１において、符号３２は鍵孔３１に設けたウォードで、図８に示す鍵（合鍵）４の凹溝として形成されたウォード４３に対応させて凸条として形成してある。
【００１５】
外枠１における前板１１に嵌め込まれた可動のキーガイド３は、前板１１にかしめ付けられたカバー板１５によって離脱できないように押さえ付けてある。
【００１６】
この発明におけるキーガイド３はその鍵孔３１に差し込まれる鍵４により固定の前板１１に対し１８０度の角度範囲で回動されることになるが、その回動の両端部で鍵４が抜き出された間に、キーガイド３が前板１１に対し回転方向にずれ動くと、次に鍵４を差し込む時に、キーガイド３に続く後述のタンブラー６及びクラッチ手段５に対する差込みにおいて支障を来たすことになる。
【００１７】
そこで、キーガイド３と前板１１との間にはクリック手段（図示しない）を設けるを可とする。クリック手段としては、板ばねを用いたもの、小球と圧縮コイルばねの組で成るもの等を採用することができる。
【００１８】
前記の外枠１における前枠１１には、図６に示すように、該前板１１と垂直をなす枢軸７が後方に向けかしめ付け等により突設してあって、その枢軸７には複数枚の板状をなすタンブラー６が相互に平行をなし、かつ板厚方向に重なり合うようにしてそれらの基端において枢支してある。
【００１９】
各タンブラー６の枢軸７を中心とする揺動の範囲は、適当なストッパ手段によって規制される。図示例のストッパ手段は、外枠１の前板１１に枢軸７と同様に後方に向け突設したストッパ杆７０に対し、各タンブラー６の先端側に設けた円弧状の長孔６３を嵌めて構成してある。
【００２０】
前記の枢軸７及びストッパ杆７０には、それぞれ複数個の止め環その他のスペーサ７１、７２がわずかな間隙を隔てて固設してあって、これらにより隣り合う２つのタンブラー６、６が平行をなし、かつ適当な間隔を隔てて保持されるようにしてある（図２及び図１０参照）。
【００２１】
各タンブラー６は、図７に示すように、本体が細長い板状体をなし、先端部の両側にはそれぞれ一体の係止片６１、６２を有すると共に、中央部に平板状をなす鍵４のシャンク４１が遊嵌できる差込み穴６４を有する。
【００２２】
そして、各タンブラー６の両側で対をなす係止片６１、６２の先端間の幅ｗは上記内枠２における両側板２１、２１間の内面間寸法ｌにほぼ等しくしてある。
【００２３】
換言すれば、図７におけるタンブラーの基端の回転中心を中心とし、直径がｌの円に外接する一対の平行線により各タンブラーの先端を切断する。
【００２４】
図示例においては、各タンブラー６として、その本体の先端側に突出された一方の係止片６１の突出長さの異なる数種のタンブラー６の中から選択されたものが用いられるようにしてある。
【００２５】
すなわち、各タンブラー６として、タンブラー本体の中心線より両係止片６１、６２の位置を少しずつずらした異なる数種のタンブラー６の中から選択されたものが用いられるようにしてある。
【００２６】
換言すれば、上記一対の平行線とタンブラー本体の中心線の相対角度位置を変えて複数のタンブラーの種類を設定してある。
【００２７】
しかしながら、各タンブラー（６）の正面外形は同一として差込み穴（６４）における後述の当接縁部（６５）の位置を変えた異なる数種のタンブラー（６）の中から選択されたものを用いるようにしてもよい。
【００２８】
基端を固定の外枠１に枢支させた各タンブラー６の少なくも先端側は内枠２内に配され、一方の係止片６１が内枠２の近い方の側板２１に向かうようにねじりばねその他のタンブラーばね６６で付勢させてある。
【００２９】
図示例のスライド錠においては、２つで対をなすようにして装着した１組のタンブラー６、６間に共通のタンブラーばね６６としてのねじりばねが掛け渡してあり、左右で互いに逆向きに装着した各タンブラー６の一方の係止片６１が内枠２の近い方の側板２１に向かうように付勢させてある。
【００３０】
但し、タンブラーばね６６は一対のタンブラー６、６で共通のものとはせず各別に設けてもよく、ばねの種類も引張りコイルばね等の他の種類のものを用いることができる。
【００３１】
また、１組のタンブラー６、６においてそれれを左右で互いに逆向きに装着した理由は、図８に示すように細長い板状の鍵４のシャンク４１の両側辺にそれぞれ鍵溝４２、４２を設けたためである。図示はしないが、シャンク（４１）の一側辺にのみ鍵溝（４２）を設けた場合は、全てのタンブラーは同じ向きに装着することになる。
【００３２】
各タンブラー６は、鍵４を差し込んでいない平常の状態において、一方の係止片６１が内枠２の係合穴２３の１つに係合させてあり、装着された全てのタンブラー６を介して内枠２を外枠１に対し不動に係止する。なお、タンブラー６の他方の係止片６２は異鍵による施解錠操作を阻止するために設けたものである。
【００３３】
タンブラー６の差込み穴６４は鍵の差込み及び所定方向への鍵の１８０度の回動を許容する大きさを有し、また、該差込み穴６４の一部の端縁は鍵４の鍵溝４２の谷部４２ａが当接する例えば直線的な当接縁部６５に形成されている。
【００３４】
図示例において、全タンブラー６の差込み穴６４は同一のＤ字状に形成され、タンブラーの本体に対する形成位置も同一とされている。但し、差込み穴６４の形状はＤ字状に限らず、他の形状とすることもできる。
【００３５】
図２〜図５において、符号５は正面がだるま状の嵌込み穴５１を有する環状のクラッチ手段で、そのクラッチ手段５は外枠１３にそれを貫通するようにして回転可能に支承してある。符号５２は後板１３に対しクラッチ手段５の抜け出しを拘束する止環である。
【００３６】
また、クラッチ手段５の回転中心軸線は外枠１の前板１１に設けられたキーガイド３の回転中心軸線に一致させてある。この構成は、キーガイド３の鍵孔３１並びに複数のタンブラー６の差込み穴６４に差し込まれた鍵４のシャンク４１をそのまま押していけば、シャンク４１の先端がクラッチ手段５の嵌込み穴５１にスムーズに嵌め込まれるようにするためのものである。
【００３７】
更に、クラッチ手段５の前方部には、図５及び図９に示すように、一体に又は別体として形成したピニオン８１を該クラッチ手段５に対し同心的に設ける。
【００３８】
一方、図９に明示するように、可動の内枠２における背板２２には例えば長方形状の切欠き２４が設けてあって、その切欠き２４における内枠２の移動方向に沿う一方の端縁には、前記ピニオン８１に噛み合うラック８２が設けてある。
【００３９】
図示例のラック８２は背板２２の一部で形成してあるが、別体のラックを背板２２に固定するようにしてもよい。
【００４０】
図１〜図５及び図１０は、固定の外枠１に対し複数のタンブラー６をもって移動可能な内枠２が係止されている状態を示している。このように内枠２が係止された状態では、この錠の取付対象物１０は解錠状態であっても施錠状態であってもよい。
【００４１】
ここでは、説明の都合上、これらの図の状態は取付対象物１０が解錠状態にあるものとして、その施錠作用について以下に述べる。
【００４２】
先ず、図８に示すような鍵４を図２及び図３で矢印Ｋで示すようにキーガイド３から差し込み、全タンブラー６の差込み穴６４を貫通させた後、そのシャンク４１の先端をクラッチ手段５の嵌め込み孔５１に挿通させる。
【００４３】
図１０は鍵４をキーガイド３から単に差し込んだ状態を示している。ここで用いられる鍵４については、図８に示すように、鍵溝４２に対しタンブラー６をスムーズに誘導させるための傾斜案内部を要しない。
【００４４】
図１０の状態から鍵４を矢印Ａのように例えば右回りに９０度回動させると、シャンク４１の先端は不動な状態に停止されたクラッチ手段５内で遊動（空動き）する一方で、シャンク４１の手前側は鍵溝４２の溝をもって各タンブラー６の差込み穴６４における当接縁部６５に対し櫛のように差し込まれる。
【００４５】
鍵４が最初の９０度を回動する間に、鍵溝４２の各谷部４２ａは対応するタンブラー６の当接縁部６５をタンブラーばね６６に抗して押圧し、最初の９０度の回動操作が終了した時点では、図１１に示すように各タンブラー６における一対の係止片６１、６２の先端を内枠２の側板２１、２１の内面に整合させ、換言すれば、各タンブラー６を内枠２に対し非係合状態となるように揺動させる。ここに、内枠２はタンブラー６による拘束が解け、外枠１に対して移動可能な状態となる。
【００４６】
そして、鍵４を矢印Ｂのように更に右回りに９０度回動させると、シャンク４１の先端はクラッチ手段５の衝合部５３において該クラッチ手段５と結合してそれをピニオン８１と共に回動させるので、該ピニオン８１に噛み合うラック８２を矢印Ｃで示すように該ラック８２と一体の内枠２と共に外枠１の長さ方向に沿って移動させる。
【００４７】
内枠２の前記の移動の間、各タンブラー６の一方の係止片６１の先端部はタンブラーばね６６の付勢力に抗して内枠２の側板２１の内面に乗り上げていて、そこを滑って後続の一対の係合穴２３の１つに再び嵌まり込み係合することになる。
【００４８】
ここで、一対の係合穴２３、２３の間隔を、前記ピニオン８１の９０度の回動に対応する内枠２の移動距離と同一に定めるものとする。
【００４９】
ここに、内枠２は外枠１に対し全タンブラー６を介し、係止されることになる。鍵４の後半の９０度の回動操作の間に、鍵４のシャンク４１の先端、鍵４と共に回動するクラッチ手段５又は直線的に変位する内枠２に連係させた錠機構（図示しない）が作動し、その作動によって取付対象物１０が施錠される。施錠後は、鍵４をキーガイド３から抜き取ることは言うまでもない。
【００５０】
また、施錠状態にある取付対象物１０を解錠させるには、施錠位置にあるキーガイド３に鍵４を差込み、施錠操作時とは逆向きの左回りに１８０度回動させた後、鍵４をキーガイド３から抜き取ればよい。この間は各部材は施錠操作時に準じて作動し、図１〜図５及び図１０に示す当初の解錠状態に復帰する。
【００５１】
この発明の錠に対して使用される鍵４においては、図８（Ｂ）に示すように、鍵溝４２の谷部４２ａはその横断面において外に凸の円弧とすることを要する。
【００５２】
そして、その円弧の半径ｒは鍵４の回転中心点Ｐと一対の係止片６１、６２を内枠２１、２１に対し非係合状態に整合させた際（図１１参照）の対応タンブラー６における差込み穴６４の直線的な当接縁部６５の前記谷部４２ａに対する接点Ｑとの距離にほぼ等しくするものとする。
【００５３】
前記のように鍵溝の谷部４２ａを特別な円弧面に形成した鍵４によれば、その鍵４の回動により非係合状態に整合させた各タンブラー６の一方の係止片６１を内枠２の係合穴２３の１つに係合させる時、その初動のわずかな角度範囲では各タンブラー６の揺動を静止させることになるので、側板２１の係合穴２３から突出しようとする一方の係止片６１が係合穴２３の縁部に衝突したりすることがなく、この折のタンブラー６並びに内枠２の動きをスムーズにすることができる。
【００５４】
【発明の効果】
以上に説明したこの発明のスライド錠によれば、係止状態にある内枠を外枠に対し移動可能にするために、各タンブラーの両係止片を内枠の側板の係合穴に対し非係合状態に整合させるについて、その整合作用は鍵の差し込み位置から右又は左に９０度回動させることにより行うことができるようにしてあるから、鍵の鍵溝における各溝の前後に傾斜案内部は設ける必要がなく、従って、外枠及び内枠内に装着される複数のタンブラーにおける隣り合う２つのタンブラー間の間隔は十分に小さくすることができ、錠全体として鍵の差込み方向の厚さを十分に薄くすることができるという効果を奏する。
【図面の簡単な説明】
【図１】この発明の錠の実施例を示す正面図。
【図２】その側面図。
【図３】その平面図
【図４】その背面図。
【図５】その部分縦断側面図。
【図６】図１の錠から取り外した前板、枢軸及びストッパ杆の組立体の縦断側面図。
【図７】図１の錠から取り外したタンブラーの１つを示す正面図。
【図８】図１の錠に対して用いられる合鍵の１つを示す図で、（Ａ）は側面図、（Ｂ）はそのシャンクの横断面図である。
【図９】内枠、クラッチ手段、ピニオンとラック及び鍵のシャンクの間の位置関係を示す縦断部分正面図。
【図１０】内枠とタンブラーの関係を示す縦断部分正面図で、鍵は回動前の差込み位置にある。
【図１１】内枠とタンブラーの関係を示す縦断部分正面図で、鍵は差込み位置から９０度回動させた位置にある。
【符号の説明】
１０  取付対象物
１  外枠
１１  前板
１３  後板
２  内枠
２１  側板
２２  背板
２３  係合穴
３  キーガイド
３１  鍵孔
４  鍵
４１  シャンク
４２  鍵溝
４２ａ  谷部
５  クラッチ手段
６  タンブラー
６１  係止片
６２  係止片
６４  差込み穴
６５  当接縁部
６６  タンブラーばね
７  枢軸
８１  ピニオン
８２  ラック
【図１】
0004195736.tif 000002
【図２】
0004195736.tif 000003
【図３】
0004195736.tif 000004
【図４】
0004195736.tif 000005
【図５】
0004195736.tif 000006
【図６】
0004195736.tif 000007
【図７】
0004195736.tif 000008
【図８】
0004195736.tif 000009
【図９】
0004195736.tif 000010
【図１０】
0004195736.tif 000011
【図１１】
0004195736.tif 000012